(57)【特許請求の範囲】
【請求項１】
共通端子と、
第１端子及び第２端子と、
前記共通端子と前記第１端子とを結ぶ第１経路上に配置された第１デュプレクサと、
前記共通端子と前記第２端子とを結ぶ第２経路上に配置された第２デュプレクサと、
を備え、
前記第１デュプレクサが備える第１フィルタは、前記第２デュプレクサが備える第２フィルタより通過帯域の周波数が低く、
前記第１フィルタは、前記第１経路上に配置された１以上の直列共振子、及び、当該第１経路とグランドとを結ぶ経路上に配置された１以上の並列共振子を有し、
前記１以上の直列共振子のうち前記共通端子に最も近い直列共振子は、互いの間に前記１以上の並列共振子のいずれも接続されることなく連なって直列接続された複数の分割共振子によって構成され、
前記複数の分割共振子は、
それぞれがＩＤＴ電極及び反射器を有する弾性波共振子であって、
所定の周波数範囲において、各々のインピーダンス特性のリップルが互いに異なる第１及び第２分割共振子を含み、
前記所定の周波数範囲は、前記共通端子に最も近い直列共振子の反共振周波数よりも高域側であり、かつ、前記反射器を構成する複数の電極指のピッチによって規定されるストップバンドリップルが発生する周波数を含み、かつ、前記第２フィルタの通過帯域に含まれる周波数範囲である、
マルチプレクサ。
【請求項２】
前記複数の分割共振子は、前記リップルが互いに異なる３以上の分割共振子を含む、
請求項１に記載のマルチプレクサ。
【請求項３】
前記第１及び第２分割共振子は、前記リップルが互いに異なるように、設計パラメータが互いに異ならされている、
請求項１または２に記載のマルチプレクサ。
【請求項４】
前記第１及び前記第２分割共振子は、前記ＩＤＴ電極の容量が略等しくなるように前記設計パラメータが互いに異ならされている、
請求項３に記載のマルチプレクサ。
【請求項５】
共通端子と、
第１端子及び第２端子と、
前記共通端子と前記第１端子とを結ぶ第１経路上に配置された第１デュプレクサと、
前記共通端子と前記第２端子とを結ぶ第２経路上に配置された第２デュプレクサと、
を備え、
前記第１デュプレクサが備える第１フィルタは、前記第２デュプレクサが備える第２フィルタより通過帯域の周波数が低く、
前記第１フィルタは、前記第１経路上に配置された１以上の直列共振子、及び、当該第１経路とグランドとを結ぶ経路上に配置された１以上の並列共振子を有し、
前記１以上の直列共振子のうち前記共通端子に最も近い直列共振子は、互いの間に前記１以上の並列共振子のいずれも接続されることなく連なって直列接続された複数の分割共振子によって構成され、
前記複数の分割共振子は、
それぞれがＩＤＴ電極及び反射器を有する弾性波共振子であって、
所定の周波数範囲において、各々のインピーダンス特性のリップルが互いに異なる第１及び第２分割共振子を含み、
前記所定の周波数範囲は、前記共通端子に最も近い直列共振子の反共振周波数よりも高域側であり、かつ、前記反射器を構成する複数の電極指のピッチによって規定され、かつ、前記第２フィルタの通過帯域に含まれる周波数範囲であり、
前記第１及び第２分割共振子は、前記リップルが互いに異なるように、設計パラメータが互いに異ならされており、
前記設計パラメータは、前記ＩＤＴ電極を構成する複数の電極指のピッチ、交叉幅、対数及びデューティーのうち少なくとも１つである、
マルチプレクサ。
【請求項６】
共通端子と、
第１端子及び第２端子と、
前記共通端子と前記第１端子とを結ぶ第１経路上に配置された第１デュプレクサと、
前記共通端子と前記第２端子とを結ぶ第２経路上に配置された第２デュプレクサと、
を備え、
前記第１デュプレクサが備える第１フィルタは、前記第２デュプレクサが備える第２フィルタより通過帯域の周波数が低く、
前記第１フィルタは、前記第１経路上に配置された１以上の直列共振子、及び、当該第１経路とグランドとを結ぶ経路上に配置された１以上の並列共振子を有し、
前記１以上の直列共振子のうち前記共通端子に最も近い直列共振子は、互いの間に前記１以上の並列共振子のいずれも接続されることなく連なって直列接続された複数の分割共振子によって構成され、
前記複数の分割共振子は、
それぞれがＩＤＴ電極及び反射器を有する弾性波共振子であって、
所定の周波数範囲において、各々のインピーダンス特性のリップルが互いに異なる第１及び第２分割共振子を含み、
前記所定の周波数範囲は、前記共通端子に最も近い直列共振子の反共振周波数よりも高域側であり、かつ、前記反射器を構成する複数の電極指のピッチによって規定され、かつ、前記第２フィルタの通過帯域に含まれる周波数範囲であり、
前記第１及び前記第２分割共振子は、前記ＩＤＴ電極を構成する複数の電極指のピッチをλとすると、前記ＩＤＴ電極と前記反射器との距離が０．４４λ以上かつ０．５λ未満である、
マルチプレクサ。
【請求項７】
前記第１フィルタは、前記１以上の直列共振子及び前記１以上の並列共振子で構成される少なくとも１段のラダー型のフィルタ構造を有する、
請求項１〜６のいずれか１項に記載のマルチプレクサ。
【請求項８】
前記第１フィルタは、複数段の前記ラダー型のフィルタ構造を有する、
請求項７に記載のマルチプレクサ。
【請求項９】
前記第１フィルタは、さらに、前記第１経路上に配置された縦結合型のフィルタ構造を有する、
請求項１〜８のいずれか１項に記載のマルチプレクサ。
【請求項１０】
さらに、
前記ＩＤＴ電極及び前記反射器が主面上に配置された圧電膜と、
前記圧電膜を伝搬する弾性波音速よりも、伝搬するバルク波音速が高速である高音速支持基板と、
前記高音速支持基板と前記圧電膜との間に配置され、前記圧電膜を伝搬するバルク波音速よりも、伝搬するバルク波音速が低速である低音速膜と、を備える、
請求項１〜９のいずれか１項に記載のマルチプレクサ。
【請求項１１】
前記第１フィルタの通過帯域は、Ｂａｎｄ３における上り周波数帯であり、
前記第２フィルタの通過帯域は、Ｂａｎｄ１における上り周波数帯である、
請求項１〜１０のいずれか１項に記載のマルチプレクサ。
【請求項１２】
請求項１〜１１のいずれか１項に記載のマルチプレクサと、
前記マルチプレクサに接続された増幅回路と、を備える、
高周波フロントエンド回路。
【請求項１３】
アンテナ素子で送受信される高周波信号を処理するＲＦ信号処理回路と、
前記アンテナ素子と前記ＲＦ信号処理回路との間で前記高周波信号を伝達する請求項１２に記載の高周波フロントエンド回路と、を備える、
通信装置。
【発明の詳細な説明】
【技術分野】
【０００１】
本発明は、マルチプレクサ、高周波フロントエンド回路及び通信装置に関する。
【背景技術】
【０００２】
近年、携帯電話端末等の通信装置について、１つの端末で複数の周波数帯域及び複数の無線方式、いわゆるマルチバンド化及びマルチモード化に対応するため、高周波信号を周波数帯域ごとに分離（分波）する分波器が広く用いられている。このような分波器として、送信フィルタ及び受信フィルタをそれぞれ含む２つのデュプレクサを組み合わせることによりクワッドプレクサ化した構成が提案されている（例えば、特許文献１参照）。
【先行技術文献】
【特許文献】
【０００３】
【特許文献１】特開２０１２−０２８８９６号公報
【発明の概要】
【発明が解決しようとする課題】
【０００４】
このように構成されたクワッドプレクサ等のマルチプレクサでは、各フィルタを経由する経路同士が互いに接続されるため、一のフィルタの特性が他のフィルタの特性に影響を与え得る。よって、一のフィルタの特性であって当該一のフィルタ自身には問題とならない特性が、他のフィルタの特性を劣化させる要因となり得る。具体的には、一のフィルタのストップバンドリップル（阻止域に生じるリップル）は、一のフィルタ自身の通過帯域内の特性には影響を及ぼさない。しかし、当該ストップバンドリップルの発生している周波数が他のフィルタの通過帯域内に位置している場合、他のフィルタの通過帯域におけるリップル（パスバンドリップル）の増大を招く要因となる。【０００５】
本発明は、上記課題を解決するためになされたものであり、通過帯域内のリップルを抑制できるマルチプレクサ、高周波フロントエンド回路及び通信装置を提供することを目的とする。
【課題を解決するための手段】
【０００６】
上記目的を達成するために、本発明の一態様に係るマルチプレクサは、共通端子と、第１端子及び第２端子と、前記共通端子と前記第１端子とを結ぶ第１経路上に配置された第１デュプレクサと、前記共通端子と前記第２端子とを結ぶ第２経路上に配置された第２デュプレクサと、を備え、前記第１デュプレクサが備える第１フィルタは、前記第２デュプレクサが備える第２フィルタより通過帯域の周波数が低く、前記第１フィルタは、前記第１経路上に配置された１以上の直列共振子、及び、当該第１経路とグランドとを結ぶ経路上に配置された１以上の並列共振子を有し、前記１以上の直列共振子のうち前記共通端子に最も近い直列共振子は、互いの間に前記１以上の並列共振子のいずれも接続されることなく連なって直列接続された複数の分割共振子によって構成され、前記複数の分割共振子は、それぞれがＩＤＴ電極及び反射器を有する弾性波共振子であって、所定の周波数範囲において、各々のインピーダンス特性のリップルが互いに異なる第１及び第２分割共振子を含み、前記所定の周波数範囲は、前記共通端子に最も近い直列共振子の反共振周波数よりも高域側であり、かつ、前記反射器を構成する複数の電極指のピッチによって規定され、かつ、前記第２フィルタの通過帯域に含まれる周波数範囲である。【０００７】
ここで、弾性波共振子のインピーダンス特性は、反射器のストップバンドの高域側において、反射器を構成する複数の電極指（以降、反射電極指）のピッチ（電極ピッチ）によって周波数及び位相等が規定されるリップルを含む。よって、第１フィルタ内の共通端子に最も近い直列共振子が１つの弾性表面波共振子により構成され、かつ、当該弾性表面波共振子によるリップルが第２フィルタの通過帯域に位置する場合、第２フィルタの通過帯域内に第１フィルタの直列共振子のリップルの影響が現れることになる。これに対して、本態様によれば、当該直列共振子が上記所定の周波数範囲における各々のインピーダンス特性のリップルが互いに異なる第１及び第２分割共振子によって構成されることにより、第２フィルタの通過帯域内に現れる第１及び第２分割共振子のリップルの影響を互いに相殺する（スムージングする）ことができる。したがって、第１フィルタによるリップルをスムージングすることができるので、第２フィルタの通過帯域のリップルを抑制することができる。【０００８】
また、前記複数の分割共振子は、前記リップルが互いに異なる３以上の分割共振子を含むことにしてもよい。【０００９】
これにより、第１フィルタによるリップルをさらにスムージングすることができるので、第２フィルタの通過帯域のリップルをさらに抑制することができる。【００１０】
また、前記第１及び第２分割共振子は、前記リップルが互いに異なるように、設計パラメータが互いに異ならされていることにしてもよい。【００１１】
このように設計パラメータを異ならせることによりリップルが互いに異なるので、第１フィルタによるリップルをスムージングできるマルチプレクサを容易に製造することができる。【００１２】
また、前記第１及び前記第２分割共振子は、前記ＩＤＴ電極の容量が略等しくなるように前記設計パラメータが互いに異ならされていることにしてもよい。【００１３】
これにより、第１及び第２共振子について、インピーダンス特性のリップルの大きさを互いに略等しくすることができる。このため、第１フィルタによるリップルをさらにスムージングすることができるので、第２フィルタの通過帯域のリップルをさらに抑制することができる。また、第１及び第２分割共振子においてＩＤＴ電極の容量が略等しくなるため、第１及び第２分割共振子の耐電力性能を同等にすることができる。よって、複数の分割共振子で構成される直列共振子全体の耐電力性能を高めることが可能となる。【００１４】
また、前記設計パラメータは、前記ＩＤＴ電極を構成する複数の電極指のピッチ、交叉幅、対数及びデューティー、ならびに、前記ＩＤＴ電極と前記反射器との距離、のうち少なくとも１つであることにしてもよい。【００１５】
これにより、第１及び第２共振子について、インピーダンス特性のリップルの大きさ、位相及び周波数、あるいは、当該リップルの発生する周波数等が互いに異なることになる。このため、第１フィルタによるリップルをさらにスムージングすることができるので、第２フィルタの通過帯域のリップルをさらに抑制することができる。また、マルチプレクサの製造工程において、複数の電極指の幅または長さ、あるいは、ＩＤＴ電極と反射器との距離を異ならせることにより、設計パラメータを容易に異ならせることができる。【００１６】
また、前記第１及び前記第２分割共振子は、前記ＩＤＴ電極を構成する複数の電極指のピッチをλとすると、前記ＩＤＴ電極と前記反射器との距離が０．４４λ以上かつ０．５λ未満であることにしてもよい。【００１７】
すなわち、本願発明者は、鋭意検討の結果、第１及び第２分割共振子について、ＩＤＴ電極と反射器との距離を０．４４λ以上かつ０．５λ未満とした場合に、通過帯域内のリップルを抑制できることを見出した。具体的には、ＩＤＴ電極と反射器との距離を小さくし過ぎると、第１フィルタの通過帯域内におけるリップルが増大する。また、ＩＤＴ電極と反射器との距離を大きくし過ぎると、第２フィルタの通過帯域内におけるリップルが増大する。このため、ＩＤＴ電極と反射器との距離を適正範囲に収めることで、第１及び第２フィルタのいずれについても、通過帯域内のリップルを抑制することができる。【００１８】
また、前記第１フィルタは、前記１以上の直列共振子及び前記１以上の並列共振子で構成される少なくとも１段のラダー型のフィルタ構造を有することにしてもよい。【００１９】
また、前記第１フィルタは、複数段の前記ラダー型のフィルタ構造を有することにしてもよい。【００２０】
これにより、第１フィルタ全体の通過特性を細かく調整することが可能となる。【００２１】
また、前記第１フィルタは、さらに、前記第１経路上に配置された縦結合型のフィルタ構造を有することにしてもよい。【００２２】
これにより、減衰強化等の要求されるフィルタ特性に適応することが可能となる。【００２３】
また、さらに、前記ＩＤＴ電極及び前記反射器が主面上に配置された圧電膜と、前記圧電膜を伝搬する弾性波音速よりも、伝搬するバルク波音速が高速である高音速支持基板と、前記高音速支持基板と前記圧電膜との間に配置され、前記圧電膜を伝搬するバルク波音速よりも、伝搬するバルク波音速が低速である低音速膜と、を備えることにしてもよい。【００２４】
これにより、ＩＤＴ電極を含む各共振子のＱ値を高い値に維持できる。【００２５】
また、前記第１フィルタの通過帯域は、Ｂａｎｄ３における上り周波数帯であり、前記第２フィルタの通過帯域は、Ｂａｎｄ１における上り周波数帯であることにしてもよい。【００２６】
第１フィルタの通過帯域がＢａｎｄ３における上り周波数帯であり、第２フィルタの通過帯域がＢａｎｄ１における上り周波数帯である場合、第２フィルタの通過帯域内のリップルが増大しやすい。このため、第１フィルタの共通端子に最も近い直列共振子を、上述した条件を満たすように構成することにより、当該リップルの増大を効果的に抑制することができる。【００２７】
また、本発明の一態様に係る高周波フロントエンド回路は、上述したいずれかのマルチプレクサと、前記マルチプレクサに接続された増幅回路と、を備える。【００２８】
これにより、通過帯域内のリップルを抑制することができる高周波フロントエンド回路を提供できる。【００２９】
また、本発明の一態様に係る通信装置は、アンテナ素子で送受信される高周波信号を処理するＲＦ信号処理回路と、前記アンテナ素子と前記ＲＦ信号処理回路との間で前記高周波信号を伝達する上記の高周波フロントエンド回路と、を備える。【００３０】
これにより、通過帯域内のリップルを抑制することができる通信装置を提供できる。
【発明の効果】
【００３１】
本発明に係るマルチプレクサ等によれば、通過帯域内のリップルを抑制することができる。
【図面の簡単な説明】
【００３２】
【図１】図１は、実施の形態１に係るクワッドプレクサの構成図である。
【図２】図２は、Ｂａｎｄ１及びＢａｎｄ３に割り当てられた周波数帯域を説明する図である。
【図３】図３は、実施の形態１に係るフィルタの回路構成図である。
【図４】図４は、実施の形態１に係るフィルタの共振子を模式的に表す平面図及び断面図である。
【図５】図５は、比較例において生じる問題を示す図である。
【図６】図６は、実施例に係るクワッドプレクサの通過特性を、比較例と比べて示すグラフである。
【図７】図７は、比較例において、通過帯域内にリップルが発生する要因を概念的に示す図である。
【図８】図８は、実施の形態１の変形例に係るフィルタの回路構成図である。
【図９】図９は、実施の形態２に係る高周波フロントエンド回路の構成図である。
【発明を実施するための形態】
【００３３】
以下、本発明の実施の形態について、実施例及び図面を用いて詳細に説明する。なお、以下で説明する実施の形態は、いずれも包括的または具体的な例を示すものである。以下の実施の形態で示される数値、形状、材料、構成要素、構成要素の配置及び接続形態などは、一例であり、本発明を限定する主旨ではない。以下の実施の形態における構成要素のうち、独立請求項に記載されていない構成要素については、任意の構成要素として説明される。また、図面に示される構成要素の大きさ、または大きさの比は、必ずしも厳密ではない。また、各図において、実質的に同一の構成に対しては同一の符号を付しており、重複する説明は省略または簡略化する場合がある。また、以下の実施の形態において、「接続される」とは、直接接続される場合だけでなく、他の素子等を介して電気的に接続される場合も含まれる。
【００３４】
（実施の形態１）
本実施の形態では、マルチプレクサとして、クワッドプレクサを例に説明する。
【００３５】
［１．マルチプレクサの基本構成］
図１は、本実施の形態に係るクワッドプレクサ１の構成図である。なお、同図には、クワッドプレクサ１の共通端子Ｐｏｒｔ１に接続されるアンテナ素子２も図示されている。
【００３６】
クワッドプレクサ１は、通過帯域が互いに異なる複数のフィルタ（ここでは４つのフィルタ１１、１２、２１及び２２）を備え、これら複数のフィルタのアンテナ側の端子が共通端子Ｐｏｒｔ１で束ねられたマルチプレクサ（分波器）である。つまり、複数のフィルタ各々の一方の端子は、共通端子Ｐｏｒｔ１に接続されている。
【００３７】
本実施の形態では、クワッドプレクサ１は、ＬＴＥ（Long Term Evolution）に対応し、３ＧＰＰ（Third Generation Partnership Project）にて規定された後述するＢａｎｄの高周波信号を通過させる。
【００３８】
具体的には、図１に示すように、クワッドプレクサ１は、共通端子Ｐｏｒｔ１と、４つの個別端子Ｐｏｒｔ１１、Ｐｏｒｔ１２、Ｐｏｒｔ２１及びＰｏｒｔ２２と、４つのフィルタ１１、１２、２１及び２２と、を有する。
【００３９】
共通端子Ｐｏｒｔ１は、４つのフィルタ１１、１２、２１及び２２に共通に設けられ、クワッドプレクサ１の内部でこれらフィルタ１１、１２、２１及び２２に接続されている。また、共通端子Ｐｏｒｔ１は、クワッドプレクサ１の外部でアンテナ素子２に接続される。つまり、共通端子Ｐｏｒｔ１は、クワッドプレクサ１のアンテナ端子でもある。
【００４０】
個別端子Ｐｏｒｔ１１、Ｐｏｒｔ１２、Ｐｏｒｔ２１及びＰｏｒｔ２２は、この順に、４つのフィルタ１１、１２、２１及び２２に個別に対応して設けられ、クワッドプレクサ１の内部で対応するフィルタに接続されている。また、個別端子Ｐｏｒｔ１１、Ｐｏｒｔ１２、Ｐｏｒｔ２１及びＰｏｒｔ２２は、クワッドプレクサ１の外部で、増幅回路等（図示せず）を介してＲＦ信号処理回路（ＲＦＩＣ：Radio Frequency Integrated Circuit、図示せず）に接続される。
【００４１】
フィルタ１１は、共通端子Ｐｏｒｔ１と個別端子Ｐｏｒｔ１１（受信端子）とを結ぶ経路上に配置され、本実施の形態では、Ｂａｎｄ３における下り周波数帯（受信帯域）を通過帯域とする受信フィルタである。
【００４２】
フィルタ１２は、共通端子Ｐｏｒｔ１と個別端子Ｐｏｒｔ１２（送信端子）とを結ぶ経路上に配置され、本実施の形態では、Ｂａｎｄ３における上り周波数帯（送信帯域）を通過帯域とする送信フィルタである。本実施の形態において、フィルタ１２は、共通端子Ｐｏｒｔ１と第１端子（ここでは個別端子Ｐｏｒｔ１２）とを結ぶ第１経路上に配置された第１フィルタに相当する。
【００４３】
フィルタ２１は、共通端子Ｐｏｒｔ１と個別端子Ｐｏｒｔ２１（受信端子）とを結ぶ経路上に配置され、本実施の形態では、Ｂａｎｄ１における下り周波数帯（受信帯域）を通過帯域とする受信フィルタである。
【００４４】
フィルタ２２は、共通端子Ｐｏｒｔ１と個別端子Ｐｏｒｔ２２（送信端子）とを結ぶ経路上に配置され、本実施の形態では、Ｂａｎｄ１における上り周波数帯（送信帯域）を通過帯域とする送信フィルタである。本実施の形態において、フィルタ２２は、共通端子Ｐｏｒｔ１と第２端子（ここでは個別端子Ｐｏｒｔ２２）とを結ぶ第２経路上に配置された第２フィルタに相当する。
【００４５】
これらフィルタ１１とフィルタ１２とは、Ｂａｎｄ３を通過帯域とするアンバランス型のデュプレクサ１０（第１デュプレクサ）を構成する。すなわち、デュプレクサ１０は、共通端子Ｐｏｒｔ１と第１端子（ここでは個別端子Ｐｏｒｔ１２）とを結ぶ第１経路上に配置されている。また、フィルタ２１とフィルタ２２とは、Ｂａｎｄ１を通過帯域とするアンバランス型のデュプレクサ２０（第２デュプレクサ）を構成する。すなわち、デュプレクサ２０は、共通端子Ｐｏｒｔ１と第２端子（ここでは個別端子Ｐｏｒｔ２２）とを結ぶ第２経路上に配置されている。つまり、本実施の形態に係るクワッドプレクサ１は、Ｂａｎｄ３を通過帯域とするデュプレクサ１０の共通端子とＢａｎｄ１を通過帯域とするデュプレクサ２０の共通端子とが、共通端子Ｐｏｒｔ１で共通化された構成である。本実施の形態では、デュプレクサ１０を通過する信号経路とデュプレクサ２０を通過する信号経路とは、ノードＮで接続されている。つまり、ノードＮは、これら２つの信号経路を束ねる点であり、当該２つの信号経路の共通接続点である。
【００４６】
ここで、本実施の形態に係るクワッドプレクサ１の通過帯域であるＢａｎｄ１及びＢａｎｄ３に割り当てられた周波数帯域について、説明する。なお、以下では、周波数帯域の範囲について、Ａ以上Ｂ以下を示す数値範囲をＡ〜Ｂのように簡略化して記載する。
【００４７】
図２は、Ｂａｎｄ１及びＢａｎｄ３に割り当てられた周波数帯域を説明する図である。なお、以降、各Ｂａｎｄの受信帯域（Ｒｘ）及び送信帯域（Ｔｘ）を、例えばＢａｎｄ１の受信帯域（Ｒｘ）については「Ｂａｎｄ１Ｒｘ帯」のように、バンド名とその末尾に付加された受信帯域または送信帯域を示す文言とで簡略化して記載する場合がある。
【００４８】
同図に示すように、Ｂａｎｄ１は、送信帯域に１９２０〜１９８０ＭＨｚが割り当てられ、受信帯域に２１１０〜２１７０ＭＨｚが割り当てられている。Ｂａｎｄ３は、送信帯域に１７１０〜１７８５ＭＨｚが割り当てられ、受信帯域に１８０５〜１８８０ＭＨｚが割り当てられている。したがって、フィルタ１１、１２、２１及び２２のフィルタ特性としては、同図の実線で示すような、対応するＢａｎｄの送信帯域または受信帯域を通過させ、他の帯域を減衰させるような特性が求められる。
【００４９】
以上のように、クワッドプレクサ１は、フィルタ１２（第１フィルタ）と、通過帯域の周波数がフィルタ１２より高いフィルタ２２（第２フィルタ）と、を備える。また、クワッドプレクサ１は、フィルタ１２を含む２つのフィルタ（本実施の形態では、フィルタ１１及び１２）を備えるデュプレクサ１０（第１デュプレクサ）、及び、フィルタ２２を含む２つのフィルタ（本実施の形態では、フィルタ２１及び２２）を備えるデュプレクサ２０（第２デュプレクサ）によって構成されている。
【００５０】
なお、２つのデュプレクサ１０及び２０の通過帯域は、Ｂａｎｄ３及びＢａｎｄ１の組み合わせに限らず、例えば、Ｂａｎｄ２５及びＢａｎｄ６６の組み合わせ、あるいは、Ｂａｎｄ３及びＢａｎｄ７の組み合わせであってもかまわない。また、クワッドプレクサ１において、各フィルタ１１、１２、２１及び２１とノードＮとを結ぶ経路上あるいはノードＮと共通端子Ｐｏｒｔ１とを結ぶ経路上等に、インピーダンス整合用のインダクタ等のインピーダンス素子が接続されていてもかまわない。
【００５１】
［２．フィルタの基本構成］
次に、各フィルタ１１、１２、２１及び２１の基本構成について、Ｂａｎｄ３Ｔｘを通過帯域とするフィルタ１２（第１フィルタ）の基本構成を例に説明する。
【００５２】
図３は、フィルタ１２の回路構成図である。同図に示すように、フィルタ１２は、直列共振子１２１ｓ〜１２５ｓと、並列共振子１２１ｐ〜１２４ｐと、インダクタ１２１Ｌと、を備える。ここで、同図に示すように、共通端子Ｐｏｒｔ１（すなわち、デュプレクサ１０及び２０で共通化されたアンテナ端子）に最も近い直列共振子１２１ｓは、複数（本実施の形態では３つ）の分割共振子１２１ｓａ〜１２１ｓｃによって構成されている。ただし、簡明のため、まず、直列共振子１２１ｓを１つの素子として扱って、フィルタ１２の基本構成について説明する。
【００５３】
直列共振子１２１ｓ〜１２５ｓは、共通端子Ｐｏｒｔ１と個別端子Ｐｏｒｔ１２とを結ぶ経路（直列腕）上に、共通端子Ｐｏｒｔ１側からこの順に互いに直列に接続されている。また、並列共振子１２１ｐ〜１２４ｐは、直列共振子１２１ｓ〜１２５ｓの各接続点と、基準端子（グランド）とを結ぶ経路（並列腕）上に互いに並列に接続されている。具体的には、並列共振子１２１ｐ〜１２３ｐは、インダクタ１２１Ｌを介して基準端子に接続され、並列共振子１２４ｐは基準端子に直接接続されている。直列共振子１２１ｓ〜１２５ｓ及び並列共振子１２１ｐ〜１２４ｐの上記接続構成により、フィルタ１２は、ラダー型のバンドパスフィルタを構成している。
【００５４】
このように、フィルタ１２（第１フィルタ）は、１以上の直列共振子（本実施の形態では５つの直列共振子１２１ｓ〜１２５ｓ）、及び、１以上の並列共振子（本実施の形態では、４つの並列共振子１２１ｐ〜１２４ｐ）で構成されるラダー型のフィルタ構造を有する。具体的には、フィルタ１２は、複数段（本実施の形態では４段）のラダー型のフィルタ構造を有する。これにより、フィルタ１２全体の通過特性を細かく調整することが可能となる。
【００５５】
なお、フィルタ１２の直列共振子及び並列共振子の数は、それぞれ、５個及び４個に限定されず、直列共振子が１個以上かつ並列共振子が１個以上あればよい。つまり、フィルタ１２は、１段以上のラダー型のフィルタ構造を有していればよい。
【００５６】
また、並列共振子１２１ｐ〜１２３ｐは、インダクタ１２１Ｌを介さずに、基準端子に直接接続されていてもよいし、並列共振子１２４ｐは、インダクタを介して基準端子に接続されていてもよい。また、直列腕上あるいは並列腕上に、インダクタ及びキャパシタ等のインピーダンス素子が挿入または接続されていてもよい。
【００５７】
また、図３では、並列共振子１２１ｐ〜１２３ｐが接続される基準端子（グランド）が共通化され、並列共振子１２４ｐが接続される基準端子が個別化されているが、共通化されている基準端子及び個別化されている基準端子は、これに限らず、例えば、フィルタ１２の実装レイアウトの制約等によって適宜選択され得る。
【００５８】
また、ラダー型のフィルタ構造を構成する直列共振子１２１ｓ〜１２５ｓのうち、最も共通端子Ｐｏｒｔ１に近い直列共振子１２１ｓの共通端子Ｐｏｒｔ１側のノード、あるいは、最も個別端子Ｐｏｒｔ１２に近い直列共振子１２５ｓの個別端子Ｐｏｒｔ１２側のノードに、並列共振子が接続されていてもよい。
【００５９】
次に、直列共振子１２１ｓを構成する複数（本実施の形態では３つ）の分割共振子１２１ｓａ〜１２１ｓｃについて説明する。
【００６０】
分割共振子１２１ｓａ〜１２１ｓｃは、直列共振子１２１ｓが分割された共振子であり、互いの間に並列共振子１２１ｐ〜１２４ｐのいずれも接続されることなく連なって直列接続されている。つまり、分割共振子１２１ｓａ〜１２１ｓｃは、互いの間に他の回路素子との接続ノードまたは他の回路素子が介在することなく直列接続されることにより、直列共振子１２１ｓを構成している。
【００６１】
これら分割共振子１２１ｓａ〜１２１ｓｃは、所定の周波数範囲における各々のインピーダンス特性のリップルが互いに異なるように、設計パラメータが互いに異なっている第１及び第２分割共振子を含む。具体的には、本実施の形態では、分割共振子１２１ｓａ〜１２１ｓｃは、所定の周波数範囲における各々のインピーダンス特性のリップルが互いに異なるように、設計パラメータが互いに異なっている。つまり、本実施の形態では、分割共振子１２１ｓａ〜１２１ｓｃのうち任意の２つの分割共振子について、一方が第１分割共振子に相当し、他方が第２分割共振子に相当し、例えば、分割共振子１２１ｓａが第１分割共振子に相当し、分割共振子１２１ｓｂが第２分割共振子に相当する。
【００６２】
ここで、「所定の周波数範囲」とは、共通端子Ｐｏｒｔ１に最も近い直列共振子１２１ｓの反共振周波数よりも高域側であり、かつ、反射器３２ｃを構成する複数の反射電極指３２２ｃのピッチ（電極ピッチ、詳細については図４で説明する）によって規定され、かつ、フィルタ２２（第２フィルタ）の通過帯域に含まれる周波数範囲である。反射電極指３２２ｃは、反射器３２ｃを構成する複数の電極指であって、いわゆる「反射器の電極指」である。
【００６３】
また、「インピーダンス特性のリップルが互いに異なる」とは、第１分割共振子のインピーダンス特性に現れる第１のリップルと第２分割共振子のインピーダンス特性に現れる第２のリップルとを比べると、リップルの周波数成分または位相、あるいはリップルが現れる周波数位置、等が異なることを指す。
【００６４】
なお、直列共振子１２１ｓを構成する分割共振子の個数は、３つに限らず複数であればよく、例えば、２つあるいは４つ以上であってもかまわない。つまり、分割共振子の個数は、フィルタ１２またはクワッドプレクサ１に要求される電気的特性またはレイアウト面積等に応じて、適宜選択され得る。
【００６５】
また、直列共振子１２１ｓを構成する複数の分割共振子（本実施の形態では、３つの分割共振子１２１ｓａ〜１２１ｓｃ）は、設計パラメータが互いに異なっている第１及び第２分割共振子を含んでいればよく、第１または第２分割共振子と設計パラメータが同一の第３分割共振子を含んでもかまわない。例えば、本実施の形態では、分割共振子１２１ｓａ〜１２１ｓｃは設計パラメータが互いに異なっているとしたが、分割共振子１２１ｓｃ（第３分割共振子）は設計パラメータが分割共振子１２１ｓａ及び１２１ｓｂのいずれか一方と同一であってもかまわない。
【００６６】
また、このような第１〜第３分割共振子を含む構成において、当該第１〜第３分割共振子の並び順は特に限定されない。例えば、共通端子Ｐｏｒｔ１（すなわち、デュプレクサ１０及び２０で共通化されたアンテナ端子）に最も近い側から順に、第１、第２及び第３分割共振子の順に並んでいてもかまわないし、第１、第３及び第２分割共振子の順に並んでいてもかまわない。
【００６７】
［３．共振子構造］
次に、フィルタ１２（第１フィルタ）を構成する各共振子（分割共振子、直列共振子及び並列共振子）の構造について説明する。本実施の形態では、当該共振子は、弾性表面波（ＳＡＷ：Surface Acoustic Wave）共振子である。
【００６８】
なお、他のフィルタ１１、２１及び２２は、上記の構成に限定されず、要求されるフィルタ特性等に応じて適宜設計され得る。具体的には、フィルタ１１、２１及び２２は、ラダー型のフィルタ構造を有さなくてもよく、例えば縦結合型のフィルタ構造であってもかまわない。また、フィルタ１１、２１及び２２を構成する各共振子は、ＳＡＷ共振子に限らず、例えば、ＢＡＷ（Bulk Acoustic Wave）共振子であってもかまわない。さらには、フィルタ１１、２１及び２２は、共振子を用いずに構成されていてもよく、例えば、ＬＣ共振フィルタあるいは誘電体フィルタであってもかまわない。
【００６９】
図４は、本実施の形態に係るフィルタ１２の共振子を模式的に表す平面図及び断面図である。同図には、フィルタ１２を構成する複数の共振子のうち、分割共振子１２１ｓａの構造を表す平面摸式図及び断面模式図が例示されている。なお、図４に示された分割共振子１２１ｓａは、上記複数の共振子の典型的な構造を説明するためのものであって、電極を構成する電極指の本数や長さなどは、これに限定されない。
【００７０】
図４の平面図に示すように、分割共振子１２１ｓａは、弾性波を励振するＩＤＴ電極（InterDigital Transducer）電極３２ａ及び３２ｂと、ＩＤＴ電極３２ａ及び３２ｂで励振された弾性波を反射する反射器３２ｃと、を有する。反射器３２ｃは、ＩＤＴ電極３２ａ及び３２ｂに対して弾性波の伝搬方向に配置されている。よって、ＩＤＴ電極３２ａ及び３２ｂで励起された弾性波を効率良く閉じ込めることができるので、弾性波の外部への漏れを抑制することができる。このため、フィルタ１２のフィルタ特性を向上することができる。具体的には、分割共振子１２１ｓａは、互いに対向する一対のＩＤＴ電極３２ａ及び３２ｂと、一対の反射器３２ｃと、で構成されている。なお、実装レイアウトの制約等によって、一対の反射器３２ｃのうち一方が配置されていなくてもよい。
【００７１】
ＩＤＴ電極３２ａは、櫛形形状に配置され、互いに平行な複数の電極指３２２ａと、複数の電極指３２２ａを接続するバスバー電極３２１ａとで構成されている。また、ＩＤＴ電極３２ｂは、櫛形形状に配置され、互いに平行な複数の電極指３２２ｂと、複数の電極指３２２ｂを接続するバスバー電極３２１ｂとで構成されている。複数の電極指３２２ａ及び３２２ｂは、Ｘ軸方向と直交する方向に沿って形成されている。
【００７２】
ここで、直列共振子１２１ｓを構成する複数の分割共振子１２１ｓａ〜１２１ｓｃのうち第１及び第２分割共振子は、ＩＤＴ電極３２ａ及び３２ｂの容量が略等しくなるように、設計パラメータが互いに異なっている。これにより、第１及び第２分割共振子においてＩＤＴ電極３２ａ及び３２ｂの容量が略等しくなるため、第１及び第２分割共振子の耐電力性能を同等にすることができる。よって、複数の分割共振子１２１ｓａ〜１２１ｓｃで構成される直列共振子１２１ｓ全体の耐電力性能を高めることが可能となる。例えば、ＩＤＴ電極３２ａ及び３２ｂの容量は、ＩＤＴ電極３２ａ及び３２ｂの交叉幅及び対数等に比例する。また、「略等しい」とは、完全に等しいことだけでなく、実質的に等しいことも含む。すなわち、「略」とは数パーセント程度の誤差も含む。
【００７３】
具体的には、本実施の形態では、複数の分割共振子１２１ｓａ〜１２１ｓｃの全てにおいて、ＩＤＴ電極３２ａ及び３２ｂの容量が略等しくなるように、設計パラメータが互いに異なっている。つまり、直列共振子１２１ｓ全体の耐電力性能は、当該直列共振子１２１ｓを構成する複数の分割共振子１２１ｓａ〜１２１ｓｃのうち最も耐電力性能の低い分割共振子によって制約される。そこで、複数の分割共振子１２１ｓａ〜１２１ｓｃの全てにおいてＩＤＴ電極３２ａ及び３２ｂの容量を略等しくして耐電力性能を同等にすることにより、直列共振子１２１ｓ全体の耐電力性能を高めることができる。
【００７４】
なお、複数の分割共振子１２１ｓａ〜１２１ｓｃは、ＩＤＴ電極３２ａ及び３２ｂの容量が略等しい第１及び第２分割共振子を含んでいればよく、第１または第２分割共振子とＩＤＴ電極３２ａ及び３２ｂの容量が異なる第３分割共振子を含んでもかまわない。例えば、分割共振子１２１ｓｃ（第３分割共振子）はＩＤＴ電極３２ａ及び３２ｂの容量が分割共振子１２１ｓａ及び１２１ｓｂと異なっていてもかまわない。
【００７５】
一対の反射器３２ｃは、ＩＤＴ電極３２ａ及び３２ｂに対して弾性波の伝搬方向（Ｘ軸方向）に配置されている。具体的には、一対の反射器３２ｃは、弾性波の伝搬方向において、ＩＤＴ電極３２ａ及び３２ｂを挟むように配置されている。各反射器３２ｃは、互いに平行な複数の反射電極指３２２ｃと、複数の反射電極指３２２ｃの一方の端部を接続するバスバー電極及び複数の反射電極指３２２ｃの他方の端部を接続するバスバー電極からなる一対のバスバー電極３２１ｃと、で構成されている。複数の反射電極指３２２ｃは、複数の電極指３２２ａ及び３２２ｂと同様に、Ｘ軸方向と直交する方向に沿って形成されている。
【００７６】
このように構成された一対の反射器３２ｃは、伝搬される弾性波の定在波を、共振子（ここでは分割共振子１２１ｓａ）の外部に漏らすことなく閉じ込めることができる。これにより、当該共振子は、ＩＤＴ電極３２ａ及び３２ｂの電極ピッチ、対数及び交叉幅等で規定される通過帯域の高周波信号を低損失で伝搬し、通過帯域外の高周波信号を高減衰させることが可能となる。
【００７７】
また、複数の電極指３２２ａ及び３２２ｂ、ならびに、バスバー電極３２１ａ及び３２１ｂで構成されるＩＤＴ電極３２ａ及び３２ｂは、図４の断面図に示すように、密着層３２３と主電極層３２４との積層構造となっている。また、反射器３２ｃの断面構造は、ＩＤＴ電極３２ａ及び３２ｂの断面構造と同様のため、以下ではその説明を省略する。
【００７８】
密着層３２３は、圧電体層３２７と主電極層３２４との密着性を向上させるための層であり、材料として、例えば、Ｔｉが用いられる。密着層３２３の膜厚は、例えば、１２ｎｍである。
【００７９】
主電極層３２４は、材料として、例えば、Ｃｕを１％含有したＡｌが用いられる。主電極層３２４の膜厚は、例えば１６２ｎｍである。
【００８０】
保護層３２５は、ＩＤＴ電極３２ａ及び３２ｂを覆うように形成されている。保護層３２５は、主電極層３２４を外部環境から保護する、周波数温度特性を調整する、及び、耐湿性を高めるなどを目的とする層であり、例えば、二酸化ケイ素を主成分とする膜である。保護層３２５の膜厚は、例えば２５ｎｍである。
【００８１】
なお、密着層３２３、主電極層３２４及び保護層３２５を構成する材料は、上述した材料に限定されない。さらに、ＩＤＴ電極３２ａ及び３２ｂは、上記積層構造でなくてもよい。ＩＤＴ電極３２ａ及び３２ｂは、例えば、Ｔｉ、Ａｌ、Ｃｕ、Ｐｔ、Ａｕ、Ａｇ、Ｐｄなどの金属又は合金から構成されてもよく、また、上記の金属または合金から構成される複数の積層体から構成されてもよい。また、保護層３２５は、形成されていなくてもよい。
【００８２】
このようなＩＤＴ電極３２ａ及び３２ｂならびに反射器３２ｃは、次に説明する基板３２０の主面上に配置されている。以下、基板３２０の積層構造について説明する。
【００８３】
図４の下段に示すように、基板３２０は、高音速支持基板３２８と、低音速膜３２６と、圧電体層３２７とを備え、高音速支持基板３２８、低音速膜３２６及び圧電体層３２７がこの順で積層された構造を有している。
【００８４】
圧電体層３２７は、ＩＤＴ電極３２ａ及び３２ｂならびに反射器３２ｃが主面上に配置された圧電膜である。圧電体層３２７は、例えば、５０°ＹカットＸ伝搬ＬｉＴａＯ３圧電単結晶または圧電セラミックス（Ｘ軸を中心軸としてＹ軸から５０°回転した軸を法線とする面で切断したタンタル酸リチウム単結晶またはセラミックスであって、Ｘ軸方向に弾性表面波が伝搬する単結晶またはセラミックス）からなる。圧電体層３２７の厚みは、ＩＤＴ電極３２ａ及び３２ｂの電極ピッチ（電極周期）で定まる弾性波の波長をλとした場合、３．５λ以下であり、例えば、厚みが６００ｎｍである。
【００８５】
高音速支持基板３２８は、低音速膜３２６、圧電体層３２７ならびにＩＤＴ電極３２ａ及び３２ｂを支持する基板である。高音速支持基板３２８は、さらに、圧電体層３２７を伝搬する表面波や境界波の弾性波よりも、高音速支持基板３２８中のバルク波の音速が高速となる基板であり、弾性表面波を圧電体層３２７及び低音速膜３２６が積層されている部分に閉じ込め、高音速支持基板３２８より下方に漏れないように機能する。高音速支持基板３２８は、例えば、シリコン基板であり、厚みは、例えば１２５μｍである。なお、高音速支持基板３２８は、（１）窒化アルミニウム、酸化アルミニウム、炭化ケイ素、窒化ケイ素、シリコン、サファイア、リチウムタンタレート、リチウムニオベイト、または水晶等の圧電体、（２）アルミナ、ジルコニア、コージライト、ムライト、ステアタイト、またはフォルステライト等の各種セラミック、（３）マグネシアダイヤモンド、（４）上記各材料を主成分とする材料、ならびに、（５）上記各材料の混合物を主成分とする材料、のいずれかで構成されていてもよい。
【００８６】
低音速膜３２６は、圧電体層３２７を伝搬する弾性波の音速よりも、低音速膜３２６中のバルク波の音速が低速となる膜であり、圧電体層３２７と高音速支持基板３２８との間に配置される。この構造と、弾性波が本質的に低音速な媒質にエネルギーが集中するという性質とにより、弾性表面波エネルギーのＩＤＴ電極外への漏れが抑制される。低音速膜３２６は、例えば、二酸化ケイ素を主成分とする膜である。低音速膜３２６の厚みは、ＩＤＴ電極３２の電極ピッチで定まる弾性波の波長をλとした場合、２λ以下であり、厚みは、例えば６７０ｎｍである。
【００８７】
基板３２０の上記積層構造によれば、圧電基板を単層で使用している従来の構造と比較して、共振周波数及び反共振周波数におけるＱ値を大幅に高めることが可能となる。すなわち、Ｑ値が高い弾性表面波共振子を構成し得るので、当該弾性表面波共振子を用いて、挿入損失が小さいフィルタを構成することが可能となる。
【００８８】
なお、高音速支持基板３２８は、支持基板と、圧電体層３２７を伝搬する表面波や境界波の弾性波よりも、伝搬するバルク波の音速が高速となる高音速膜とが積層された構造を有していてもよい。この場合、支持基板は、サファイア、リチウムタンタレート、リチウムニオベイト、水晶等の圧電体、アルミナ、マグネシア、窒化ケイ素、窒化アルミニウム、炭化ケイ素、ジルコニア、コージライト、ムライト、ステアタイト、フォルステライト等の各種セラミック、ガラス等の誘電体またはシリコン、窒化ガリウム等の半導体及び樹脂基板等を用いることができる。また、高音速膜は、窒化アルミニウム、酸化アルミニウム、炭化ケイ素、窒化ケイ素、酸窒化ケイ素、ＤＬＣ膜またはダイヤモンド、上記材料を主成分とする媒質、上記材料の混合物を主成分とする媒質等、様々な高音速材料を用いることができる。
【００８９】
なお、本実施の形態では、フィルタ１２を構成するＩＤＴ電極３２ａ及び３２ｂは、圧電体層３２７を有する基板３２０上に形成された例を示したが、ＩＤＴ電極３２ａ及び３２ｂが形成される基板は、圧電体層３２７の単層からなる圧電基板であってもよい。この場合の圧電基板は、例えば、ＬｉＴａＯ３の圧電単結晶、または、ＬｉＮｂＯ３などの他の圧電単結晶で構成される。
【００９０】
また、ＩＤＴ電極３２ａ及び３２ｂが形成される基板は、圧電体層を有する限り、全体が圧電体層からなるものの他、支持基板上に圧電体層が積層されている構造を用いてもよい。
【００９１】
また、上記本実施の形態に係る圧電体層３２７は、５０°ＹカットＸ伝搬ＬｉＴａＯ３単結晶を使用したものであるが、単結晶材料のカット角はこれに限定されない。つまり、弾性波フィルタ装置の要求通過特性などに応じて、適宜、積層構造、材料、及び厚みを変更してもよく、上記以外のカット角を有するＬｉＴａＯ３圧電基板またはＬｉＮｂＯ３圧電基板などを用いた弾性表面波フィルタであっても、同様の効果を奏することが可能となる。
【００９２】
ここで、共振子の設計パラメータについて説明する。
【００９３】
まず、ＩＤＴ電極３２ａ及び３２ｂに関する設計パラメータについて述べる。
【００９４】
弾性表面波共振子の波長とは、図４の中段に示すＩＤＴ電極３２ａ及び３２ｂを構成する複数の電極指３２２ａまたは３２２ｂの繰り返し周期である波長λＩＤＴ（以降、ＩＤＴ波長λＩＤＴ）で規定される。また、電極ピッチ（電極周期）は、ＩＤＴ波長λＩＤＴの１／２であり、ＩＤＴ電極３２ａ及び３２ｂを構成する電極指３２２ａ及び３２２ｂのライン幅をＷとし、隣り合う電極指３２２ａと電極指３２２ｂとの間のスペース幅をＳとした場合、（Ｗ＋Ｓ）で定義される。また、ＩＤＴ電極３２ａ及び３２ｂの交叉幅Ｌは、図４の上段に示すように、ＩＤＴ電極３２ａの電極指３２２ａとＩＤＴ電極３２ｂの電極指３２２ｂとのＸ軸方向から見た場合の重複する電極指長さである。また、各共振子の電極デューティーは、複数の電極指３２２ａ及び３２２ｂのライン幅占有率であり、複数の電極指３２２ａ及び３２２ｂのライン幅とスペース幅との加算値に対する当該ライン幅の割合であり、Ｗ／（Ｗ＋Ｓ）で定義される。
【００９５】
次いで、反射器３２ｃに関する設計パラメータについて述べる。
【００９６】
反射器３２ｃの波長λＲＥＦ（以降、ＲＥＦ波長λＲＥＦ）は、反射器３２ｃを構成する複数の反射電極指３２２ｃの繰り返し周期の２倍であり、具体的には、隣り合って配置された２つの反射電極指３２２ｃの中心間距離の２倍である。
【００９７】
最後に、ＩＤＴ電極３２ａ及び３２ｂと反射器３２ｃとの相対的な配置に関するパラメータについて述べる。
【００９８】
ＩＤＴ電極３２ａ及び３２ｂと反射器３２ｃとの間の距離（以降、ＩＤＴ−リフレクタ間隔λｇａ）は、ＩＤＴ波長λＩＤＴに対するＩＤＴ電極３２ａ及び３２ｂと反射器３２ｃとの間の距離の比率である。具体的には、ＩＤＴ−リフレクタ間隔λｇａは、（i）ＩＤＴ電極３２ａ及び３２ｂを構成する複数の電極指３２２ａ及び３２２ｂのうち最も反射器３２ｃ側の電極指と（ii）反射器３２ｃを構成する複数の反射電極指３２２ｃのうち最もＩＤＴ電極３２ａ及び３２ｂ側の反射電極指３２２ｃとの、中心間距離である。つまり、ＩＤＴ−リフレクタ間隔λｇａは、弾性波の伝搬方向において隣り合う電極指と反射電極指３２２ｃとの中心間距離である。
【００９９】
［４．本発明に至った経緯］
一般的に、複数のフィルタを束ねたマルチプレクサでは、各フィルタ内の構成はフィルタを単体で用いる場合と同等に設計される。しかしながら、本願発明者らは、このようなマルチプレクサ（本実施の形態ではクワッドプレクサ１）では、一のフィルタの構成が要因となって、図５に示すように、他のフィルタの通過帯域内にリップルが発生するという問題に気付いた。
【０１００】
図５は、後述する比較例において生じる問題を示す図である。具体的には、同図には、共通端子Ｐｏｒｔ１に最も近い直列共振子１２１ｓを１つの共振子で構成した場合のフィルタ２２（Ｂａｎｄ１Ｔｘ用フィルタ）を経由する経路の通過特性が示されており、より具体的には、個別端子Ｐｏｒｔ２２及び共通端子Ｐｏｒｔ１の一方に入力された信号の強度に対する他方から出力された信号の強度比である挿入損失（Insertion Loss）が示されている。
【０１０１】
同図に示すように、直列共振子１２１ｓを１つの共振子で構成した場合、Ｂａｎｄ１Ｔｘ帯域内（つまり、フィルタ２２の通過帯域内）にリップルが生じている（図中の「通過帯域内リップル」部分）。
【０１０２】
これに対し、本願発明者は、このようなマルチプレクサにおいて、フィルタ２２よりも通過帯域が低いフィルタ１２において直列共振子１２１ｓを複数の分割共振子１２１ｓａ〜１２１ｓｃで構成し、少なくとも１つの分割共振子１２１ｓａ〜１２１ｓｃの設計パラメータを他の少なくとも１つの分割共振子１２１ｓａ〜１２１ｓｃの設計パラメータと異ならせることにより、上述した通過帯域内に発生するリップルを抑制できるという知見を見出した。
【０１０３】
［５．効果等］
そこで、以下、通過帯域内に発生するリップルを抑制できるという効果について、実施例及び比較例に基づいて、詳細に説明する。
【０１０４】
＜実施例＞
表１に、本実施例に係るフィルタ１２を構成する直列共振子１２１ｓ〜１２５ｓ、並列共振子１２１ｐ〜１２４ｐの設計パラメータ（ＩＤＴ波長λＩＤＴ（電極ピッチ×２）、ＲＥＦ波長λＲＥＦ（電極ピッチ×２）、交叉幅Ｌ、ＩＤＴ対数ＮＩＤＴ、反射電極指本数ＮＲＥＦ、ＩＤＴ−リフレクタ間隔λｇａ、電極デューティーＤ）の詳細を示す。ただし、直列共振子１２１ｓは、３つの分割共振子１２１ｓａ〜１２１ｓｃによって構成されるため、表１では、直列共振子１２１ｓの設計パラメータとして、分割共振子１２１ｓａ〜１２１ｓｃそれぞれの設計パラメータの詳細を示す。
【０１０５】
【表１】
0006683256.tif 000002
【０１０６】
上記表１に示すように、本実施例では、分割共振子１２１ｓａ〜１２１ｓｃは、交叉幅Ｌ及びＩＤＴ対数ＮＩＤＴが異なっている。つまり、交叉幅Ｌ及びＩＤＴ対数ＮＩＤＴは、分割共振子１２１ｓａ〜１２１ｓｃの間で互いに異ならされた設計パラメータである。
【０１０７】
なお、分割共振子１２１ｓａ〜１２１ｓｃの間で互いに異ならされた設計パラメータは、交叉幅Ｌ及びＩＤＴ対数ＮＩＤＴに限らず、ＩＤＴ波長λＩＤＴ、交叉幅Ｌ（複数の電極指３２２ａ及び３２２ｂの交叉幅）、ＩＤＴ対数ＮＩＤＴ（複数の電極指３２２ａ及び３２２ｂの対数）及び電極デューティーＤ、ならびに、ＩＤＴ−リフレクタ間隔λｇａ（ＩＤＴ電極３２ａ及び３２ｂと反射器３２ｃとの距離）、のうち少なくとも１つであればよい。これにより、クワッドプレクサ１の製造工程において、複数の電極指３２２ａ及び３２２ｂの幅または長さ、あるいは、ＩＤＴ電極３２ａ及び３２ｂと反射器３２ｃとの距離を異ならせることにより、設計パラメータを容易に異ならせることができる。
【０１０８】
また、分割共振子１２１ｓａ〜１２１ｓｃの間で互いに異ならされた設計パラメータは、上述の例に限らず、例えば、基板３２０を構成する少なくとも１つの部材（本実施の形態では、高音速支持基板３２８、低音速膜３２６及び圧電体層３２７のうち少なくとも１つ）の厚み及び材質等であってもかまわない。
【０１０９】
＜比較例＞
比較例に係るフィルタは、直列共振子１２１ｓが１つの共振子で構成されている点を除き、実施例に係るフィルタ１２と同様の構成を有する。表２に、比較例に係るフィルタを構成する直列共振子１２１ｓの設計パラメータ（ＩＤＴ波長λＩＤＴ、ＲＥＦ波長λＲＥＦ、交叉幅Ｌ、ＩＤＴ対数ＮＩＤＴ、反射電極指本数ＮＲＥＦ、ＩＤＴ−リフレクタ間隔λｇａ、電極デューティーＤ）の詳細を示す。なお、直列共振子１２１ｓ以外の共振子の設計パラメータは実施例と同様のため、記載を省略する。
【０１１０】
【表２】
0006683256.tif 000003
【０１１１】
＜実施例と比較例との比較＞
図６は、実施例に係るクワッドプレクサ１の通過特性を、比較例と比べて示すグラフである。具体的には、同図には、フィルタ２２（Ｂａｎｄ１Ｔｘ用フィルタ）を経由する経路の通過特性が示されており、より具体的には、個別端子Ｐｏｒｔ２２に入力された信号の強度に対する共通端子Ｐｏｒｔ１から出力された信号の強度比である挿入損失が示されている。
【０１１２】
同図から分かるように、実施例では、比較例１に比べて、通過帯域内（ここではＢａｎｄ１Ｔｘ帯域内）のリップルが抑制されている（図中の破線による囲み部分）。
【０１１３】
このことは、次のような理由による。
【０１１４】
図７は、比較例において、通過帯域内にリップルが発生する要因を概念的に示す図である。同図の（ａ）は、共振子を構成する反射器３２ｃの反射特性を模式的に示すグラフであり、具体的には当該反射係数の周波数特性が示されている。同図の（ｂ）は、共振子の共振特性を模式的に示すグラフであり、具体的には共振子のインピーダンスの周波数特性（いわゆるインピーダンス特性）が示されている。同図の（ｃ）は、図２と同様にＢａｎｄ１及びＢａｎｄ３の周波数関係を説明する図であり、各フィルタ１１、１２、２１及び２２に要求されるフィルタ特性が実線で模式的に示されている。
【０１１５】
反射器３２ｃは、伝搬された弾性表面波を外部に漏らさずに閉じ込めるために、共振子の共振周波数を含む所定の帯域において高い反射係数を有するように設計されている。
【０１１６】
このとき、図７の（ａ）に示すように、反射係数が高い所定の帯域の周辺帯域には、反射係数が大きくなったり小さくなったりを繰り返す反射係数の跳ね返りが発生する（同図のＡ部分）。
【０１１７】
ＳＡＷ共振子では、この反射係数の跳ね返りにより、図７の（ｂ）に示すように、共振特性より周波数が高い側（すなわち、共振周波数ｆｒ及び反共振周波数ｆａのいずれよりも高域側）において、インピーダンス特性にリップルが生じる（同図のＢ部分）。
【０１１８】
一般的に、ラダー型のフィルタ構造を有するフィルタでは、直列共振子の共振周波数ｆｒｓと並列共振子の反共振周波数ｆａｐとを略一致させることで、ｆｒｓ及びｆａｐを通過帯域の中心周波数とする帯域通過型フィルタを構成する。このため、ラダー型のフィルタ構造においてＳＡＷ共振子を直列共振子として用いると、帯域通過型フィルタの高域側の阻止域において、上述したリップルに起因するストップバンドリップル（阻止域に生じるリップル）が発生する。
【０１１９】
このようなストップバンドリップルは、フィルタ単体においては、あまり問題にならない。しかしながら、このストップバンドリップルは、複数のフィルタを備えるマルチプレクサにおいては、一のフィルタのストップバンドリップルの発生している周波数が他のフィルタの通過帯域内に位置している場合に、他のフィルタの通過帯域におけるリップル（パスバンドリップル）の増大を招く要因となる。
【０１２０】
このとき、Ｂａｎｄ３のデュプレクサ１０とＢａｎｄ１のデュプレクサ２０とを組み合わせたマルチプレクサ（クワッドプレクサ）では、比較例のように、Ｂａｎｄ３Ｔｘ帯用のフィルタ１２の直列共振子１２１ｓが１つの共振子で構成されている場合、直列共振子１２１ｓにより生じるリップルがＢａｎｄ１Ｔｘ帯に位置する（図７の（ｂ）及び（ｃ）参照）。このため、比較例では、フィルタ２２（Ｂａｎｄ１Ｔｘ用フィルタ）を経由する経路において、通過帯域内にリップルが生じている。
【０１２１】
これに対して、実施例では、フィルタ１２の直列共振子１２１ｓが複数の分割共振子１２１ｓａ〜１２１ｓｃで構成され、これら複数の分割共振子１２１ｓａ〜１２１ｓｃは、所定の周波数範囲における各々のインピーダンス特性のリップルが互いに異なるように、設計パラメータが互いに異ならされている。
【０１２２】
これにより、フィルタ１２について、上記所定の周波数範囲において、複数の分割共振子１２１ｓａ〜１２１ｓｃの間でインピーダンス特性のリップルを異ならせることができる。このため、フィルタ１２と束ねられるフィルタ２２の通過帯域内のリップルを抑制することができる。
【０１２３】
すなわち、ＳＡＷ共振子のインピーダンス特性は、反射器３２ｃのストップバンドの高域側において、反射電極指３２２ｃのピッチλＲＥＦによって周波数及び位相等が規定されるリップルを含む。よって、フィルタ１２（第１フィルタ）内の共通端子Ｐｏｒｔ１に最も近い直列共振子１２１ｓが１つのＳＡＷ共振子により構成され、かつ、当該ＳＡＷ共振子によるリップルがフィルタ２２（第２フィルタ）の通過帯域に位置する場合、当該通過帯域内に直列共振子１２１ｓのリップルの影響が現れることになる。
【０１２４】
これに対して、実施例のように、所定の周波数範囲における各々のインピーダンス特性のリップルが互いに異なるように設計パラメータが互いに異ならされた複数の分割共振子１２１ｓａ〜１２１ｓｃによって直列共振子１２１ｓが構成されることにより、分割共振子１２１ｓａ〜１２１ｓｃそれぞれを構成するＳＡＷ共振子によるリップルが互いに異なることになる。よって、これらＳＡＷ共振子によるリップルがフィルタ２２の通過帯域に位置する場合であっても、リップルの周波数位置、周波数成分、位相等が互いに異なることにより、フィルタ２２（第２フィルタ）の通過帯域内に現れる分割共振子１２１ｓａ〜１２１ｓｃのリップルの影響を互いに相殺する（スムージングする）ことができる。
【０１２５】
このように、実施例では、比較例に比べて、フィルタ２２の通過帯域において、フィルタ１２の直列共振子１２１ｓによるリップルがスムージングされるため、当該通過帯域のリップルを抑制することができる。
【０１２６】
具体的には、上記の実施例では、比較例に比べて、設計パラメータを異ならせることによりリップルが互いに異なるので、フィルタ１２によるリップルをスムージングできるクワッドプレクサ１（マルチプレクサ）を容易に製造することができる。
【０１２７】
特に、上記の実施例では、直列共振子１２１ｓを構成する全ての分割共振子１２１ｓａ〜１２１ｓｃは、上記の所定の周波数範囲におけるリップルが互いに異なるように設計パラメータが互いに異ならされている。このため、１つの分割共振子（例えば、分割共振子１２１ｓａ）のみが他の分割共振子（例えば、分割共振子１２１ｓｂ及び１２１ｓｃ）と設計パラメータが互いに異ならされている場合に比べて、フィルタ２２（第２フィルタ）の通過帯域内に現れる分割共振子１２１ｓａ〜１２１ｓｃのリップルをさらに抑制することができる。
【０１２８】
また、上記の実施例では、直列共振子１２１ｓを構成する１分割共振子（例えば、分割共振子１２１ｓａ）及び第２分割共振子（例えば、分割共振子１２１ｓｂ）は、ＩＤＴ電極３２ａ及び３２ｂの容量が互いに略等しくなるように設計パラメータが互いに異ならされている。これにより、第１及び第２分割共振子の容量が互いに異なる場合に比べ、第１及び第２分割共振子について、インピーダンス特性のリップルの大きさを互いに略等しくすることができる。このため、フィルタ１２（第１フィルタ）によるリップルをさらにスムージングすることができるので、フィルタ２２（第２フィルタ）の通過帯域のリップルをさらに抑制することができる。
【０１２９】
特に、上記の実施例では、直列共振子１２１ｓを構成する全ての分割共振子１２１ｓａ〜１２１ｓｃは、上記容量が互いに略等しくなるように設計パラメータが互いに異ならされている。これにより、全ての分割共振子１２１ｓａ〜１２１ｓｃについて、インピーダンス特性のリップルの大きさを互いに略等しくすることができる。このため、フィルタ１２について更なるリップルのスムージングが可能となるので、フィルタ２２について通過帯域における更なるリップルの抑制が可能となる。
【０１３０】
また、上記の実施例では、上記設計パラメータとして、直列共振子１２１ｓを構成する１分割共振子（例えば、分割共振子１２１ｓａ）及び第２分割共振子（例えば、分割共振子１２１ｓｂ）は、複数の電極指３２２ａまたは３２２ｂの電極ピッチ、交叉幅Ｌ、ＩＤＴ対数ＮＩＤＴ及び電極デューティーＤ、ならびに、ＩＤＴ−リフレクタ間隔λｇａ、のうち少なくとも１つ（ここでは交叉幅Ｌ及びＩＤＴ対数ＮＩＤＴ）が互いに異ならされている。
【０１３１】
これにより、第１及び第２共振子について、インピーダンス特性のリップルの大きさ、位相及び周波数、あるいは、当該リップルの発生する周波数等が互いに異なることになる。このため、フィルタ１２によるリップルをさらにスムージングすることができるので、フィルタ２２の通過帯域のリップルをさらに抑制することができる。
【０１３２】
（実施の形態１の変形例）
上記実施の形態１では、第１フィルタ（実施の形態１ではフィルタ１２）について、ラダー型のフィルタ構造のみを有する構成を例に説明した。しかし、第１フィルタは、ラダー型のフィルタ構造に加え、さらに縦結合型のフィルタ構造を有してもかまわない。そこで、本変形例では、このようなフィルタ構造を有する第１フィルタを備えるクワッドプレクサについて説明する。なお、クワッドプレクサが備える複数のフィルタのうち、第１フィルタ以外のフィルタについては、実施の形態１と同様の構成を有するため、説明を省略する。
【０１３３】
図８は、実施の形態１の変形例に係るフィルタ１２Ａ（第１フィルタ）の回路構成図である。
【０１３４】
同図に示すように、フィルタ１２Ａは、直列共振子１２１ｓ及び１２２ｓと、並列共振子１２１ｐ及び１２２ｐと、縦結合共振器１５０と、を備える。つまり、フィルタ１２Ａは、ラダー型のフィルタ構造に縦結合共振器１５０が付加されたフィルタである。
【０１３５】
縦結合共振器１５０は、共通端子Ｐｏｒｔ１と個別端子Ｐｏｒｔ１２との間に配置された縦結合型のフィルタ構造を有する。本実施の形態では、縦結合共振器１５０は、直列共振子１２２ｓの個別端子Ｐｏｒｔ１２側に配置されており、９つのＩＤＴとその両端に配置された反射器とで構成されている。なお、縦結合共振器１５０が配置される位置は、これに限定されず、例えば、直列共振子１２１ｓと直列共振子１２２ｓとの間、あるいは、直列共振子１２１ｓの共通端子Ｐｏｒｔ１側であってもかまわない。
【０１３６】
以上のように構成された第１フィルタ（本変形例ではフィルタ１２Ａ）を備えるクワッドプレクサであっても、実施の形態１と同様に、共通端子Ｐｏｒｔ１に最も近い直列共振子（本実施の形態では直列共振子１２１ｓ）が分割共振子１２１ｓａ〜１２１ｓｃで構成されることにより、通過帯域内のリップルを抑制することができる。
【０１３７】
また、本実施の形態に係るフィルタ１２Ａによれば、縦結合型のフィルタ構造を有することにより、減衰強化等の要求されるフィルタ特性に適応することが可能となる。
【０１３８】
（実施の形態２）
上記実施の形態１及びその変形例に係るクワッドプレクサは、高周波フロントエンド回路、さらには当該高周波フロントエンド回路を備える通信装置に適用することもできる。そこで、本実施の形態では、このような高周波フロントエンド回路及び通信装置について説明する。
【０１３９】
図９は、実施の形態２に係る高周波フロントエンド回路３０の構成図である。なお、同図には、高周波フロントエンド回路３０と接続される各構成要素（アンテナ素子２、ＲＦ信号処理回路（ＲＦＩＣ）３、及び、ベースバンド信号処理回路（ＢＢＩＣ）４）についても併せて図示されている。高周波フロントエンド回路３０とＲＦ信号処理回路３とベースバンド信号処理回路４とは、通信装置４０を構成している。
【０１４０】
高周波フロントエンド回路３０は、実施の形態１に係るクワッドプレクサ１と、受信側スイッチ１３及び送信側スイッチ２３と、ローノイズアンプ回路１４と、パワーアンプ回路２４と、を備える。
【０１４１】
受信側スイッチ１３は、クワッドプレクサ１の受信端子である個別端子Ｐｏｒｔ１１及びＰｏｒｔ２１に個別に接続された２つの選択端子、ならびに、ローノイズアンプ回路１４に接続された共通端子を有するスイッチ回路である。
【０１４２】
送信側スイッチ２３は、クワッドプレクサ１の送信端子である個別端子Ｐｏｒｔ１２及びＰｏｒｔ２２に個別に接続された２つの選択端子、ならびに、パワーアンプ回路２４に接続された共通端子を有するスイッチ回路である。
【０１４３】
これら受信側スイッチ１３及び送信側スイッチ２３は、それぞれ、制御部（図示せず）からの制御信号にしたがって、共通端子と所定のバンドに対応する信号経路とを接続し、例えば、ＳＰＤＴ（Ｓｉｎｇｌｅ  Ｐｏｌｅ  Ｄｏｕｂｌｅ  Ｔｈｒｏｗ）型のスイッチによって構成される。なお、共通端子と接続される選択端子は１つに限らず、複数であってもかまわない。つまり、高周波フロントエンド回路３０は、キャリアアグリゲーションに対応してもかまわない。
【０１４４】
ローノイズアンプ回路１４は、アンテナ素子２、クワッドプレクサ１及び受信側スイッチ１３を経由した高周波信号（ここでは高周波受信信号）を増幅し、ＲＦ信号処理回路３へ出力する受信増幅回路である。
【０１４５】
パワーアンプ回路２４は、ＲＦ信号処理回路３から出力された高周波信号（ここでは高周波送信信号）を増幅し、送信側スイッチ２３及びクワッドプレクサ１を経由してアンテナ素子２に出力する送信増幅回路である。
【０１４６】
ＲＦ信号処理回路３は、アンテナ素子２から受信信号経路を介して入力された高周波受信信号を、ダウンコンバートなどにより信号処理し、当該信号処理して生成された受信信号をベースバンド信号処理回路４へ出力する。また、ＲＦ信号処理回路３は、ベースバンド信号処理回路４から入力された送信信号をアップコンバートなどにより信号処理し、当該信号処理して生成された高周波送信信号をパワーアンプ回路２４へ出力する。ＲＦ信号処理回路３は、例えば、ＲＦＩＣである。
【０１４７】
ベースバンド信号処理回路４で処理された信号は、例えば、画像信号として画像表示のために、または、音声信号として通話のために使用される。
【０１４８】
なお、高周波フロントエンド回路３０は、上述した各構成要素の間に、他の回路素子を備えていてもよい。
【０１４９】
以上のように構成された高周波フロントエンド回路３０及び通信装置４０によれば、上記実施の形態１に係るクワッドプレクサ１を備えることにより、通過帯域内のリップルを抑制することができる。
【０１５０】
なお、高周波フロントエンド回路３０は、実施の形態１に係るクワッドプレクサ１に代わり、実施の形態１の変形例に係るクワッドプレクサを備えてもかまわない。
【０１５１】
また、通信装置４０は、高周波信号の処理方式に応じて、ベースバンド信号処理回路（ＢＢＩＣ）４を備えていなくてもよい。
【０１５２】
（その他の実施の形態）
以上、本発明の実施の形態に係るマルチプレクサ、高周波フロントエンド回路及び通信装置について、実施の形態及びその変形例を挙げて説明したが、本発明は、上記実施の形態及び変形例における任意の構成要素を組み合わせて実現される別の実施の形態や、上記実施の形態に対して本発明の主旨を逸脱しない範囲で当業者が思いつく各種変形を施して得られる変形例や、本発明に係るマルチプレクサ、高周波フロントエンド回路及び通信装置を内蔵した各種機器も本発明に含まれる。
【０１５３】
例えば、上記説明では、マルチプレクサとして、２つのデュプレクサによって構成されるクワッドプレクサを例に説明したが、本発明は、例えば、３つのデュプレクサによって構成されるヘキサプレクサについても適用することができる。つまり、マルチプレクサは、２以上のデュプレクサを備えていればよい。
【０１５４】
また、上記実施の形態１では、フィルタ１２が第１フィルタに相当し、フィルタ２２が第２フィルタに相当するとして説明した。つまり、第１及び第２フィルタは、上記実施の形態１では双方が送信フィルタであった。しかし、本発明は、第１フィルタの共通端子に最も近い直列共振子を１つの共振子で構成した場合に、第１フィルタのストップバンドリップルが第２フィルタの通過帯域内に位置するマルチプレクサであれば、第１及び第２フィルタの用途等に限定されず、適用することができる。このため、第１及び第２フィルタは、少なくとも一方が受信フィルタであってもよい。
【０１５５】
また、第１フィルタの共通端子に最も近い直列共振子はＳＡＷ共振子に限らず、例えばＢＡＷ共振子であってもかまわない。
【０１５６】
また、上記実施の形態１では、第１分割共振子と第２分割共振子とのインピーダンス特性のリップルを異ならせる手法として、設計パラメータを異ならせる手法を例に説明した。しかし、当該インピーダンス特性のリップルを異ならせる手法は、設計パラメータを異ならせる手法に限定されず、例えば第１及び第２分割共振子の外部環境等を異ならせることにより実現されてもかまわない。
【０１５７】
また、通過帯域内のリップルを抑制する観点から、第１及び第２分割共振子（例えば、分割共振子１２１ｓａ及び１２１ｓｂ）は、ＩＤＴ電極３２ａ及び３２ｂの電極周期で定まる弾性波の波長をλとしたとき、ＩＤＴ電極３２ａ及び３２ｂと反射器３２ｃとの距離が０．４４λ以上かつ０．５λ未満であることが好ましい。つまり、上記説明において、０．４４≦λｇａ＜０．５を満たすことが好ましい。すなわち、本願発明者は、鋭意検討の結果、第１及び第２分割共振子について、ＩＤＴ電極３２ａ及び３２ｂと反射器３２ｃとの距離を０．４４λ以上かつ０．５λ未満とした場合に、通過帯域内のリップルを抑制できることを見出した。具体的には、ＩＤＴ電極３２ａ及び３２ｂと反射器３２ｃとの距離を小さくし過ぎると、第１フィルタの通過帯域内におけるリップルが増大する。また、ＩＤＴ電極３２ａ及び３２ｂと反射器３２ｃとの距離を大きくし過ぎると、第２フィルタの通過帯域内におけるリップルが増大する。このため、ＩＤＴ電極３２ａ及び３２ｂと反射器３２ｃとの距離を適正範囲に収めることで、第１及び第２フィルタのいずれについても、通過帯域内のリップルを抑制することができる。
【産業上の利用可能性】
【０１５８】
本発明は、マルチバンドシステムに適用できるマルチプレクサ、フロントエンド回路及び通信装置として、携帯電話などの通信機器に広く利用できる。
【符号の説明】
【０１５９】
１    クワッドプレクサ
２    アンテナ素子
３    ＲＦ信号処理回路（ＲＦＩＣ）
４    ベースバンド信号処理回路（ＢＢＩＣ）
１０、２０    デュプレクサ
１１、１２、１２Ａ、２１、２２    フィルタ
１３    受信側スイッチ
１４    ローノイズアンプ回路
２３    送信側スイッチ
２４    パワーアンプ回路
３０    高周波フロントエンド回路
３２ａ、３２ｂ    ＩＤＴ電極
３２ｃ    反射器
４０    通信装置
１２１ｓ〜１２５ｓ    直列共振子
１２１ｓａ〜１２１ｓｃ    分割共振子
１２１ｐ〜１２４ｐ    並列共振子
１２１Ｌ    インダクタ
１５０    縦結合共振器
３２０    基板
３２１ａ、３２１ｂ、３２１ｃ    バスバー電極
３２２ａ、３２２ｂ    電極指
３２２ｃ    反射電極指（反射器の電極指）
３２３    密着層
３２４    主電極層
３２５    保護層
３２６    低音速膜
３２７    圧電体層
３２８    高音速支持基板
Ｐｏｒｔ１    共通端子
Ｐｏｒｔ１１、Ｐｏｒｔ１２、Ｐｏｒｔ２１、Ｐｏｒｔ２２    個別端子
【図１】
0006683256.tif 000004
【図２】
0006683256.tif 000005
【図３】
0006683256.tif 000006
【図４】
0006683256.tif 000007
【図５】
0006683256.tif 000008
【図６】
0006683256.tif 000009
【図７】
0006683256.tif 000010
【図８】
0006683256.tif 000011
【図９】
0006683256.tif 000012